(57)【要約】  装置は、第１のレシーバと、第２のレシーバと、を含む。第１のレシーバは、高周波（ＲＦ）入力信号と第１の局部発振器信号とに応じ複数の第１の中間周波数信号を生成する様に構成される。第２のレシーバは、第１の中間周波数信号に応じ複数の出力信号を生成する様に構成される。複数の出力信号の夫々は、複数の第１の中間周波数信号の夫々と複数の第２の局部発振器信号の夫々とに応じ無関係のチャンネルに於いて生成される。【選択図】図１
2018504828.tif 000002
【特許請求の範囲】
【請求項１】
高周波（ＲＦ）入力信号と第１の局部発振器信号の位相の夫々とに応じ少なくとも４つの第１の中間周波数信号を生成する様に構成された第１のレシーバと、
前記第１の局部発振器信号の位相の夫々を生成する様に構成された第１の局部発振器整相回路と、
第２の局部発振器信号の少なくとも４つの位相を生成する様に構成された第２の局部発振器整相回路と、
少なくとも４つの前記第１の中間周波数信号と前記第２の局部発振器信号の少なくとも４つの位相とに応じ少なくとも４つの出力信号を生成する様に構成された第２のレシーバと、
を含み、
少なくとも４つの前記出力信号の夫々は、少なくとも４つの前記第１の中間周波数信号の夫々と前記第２の局部発振器信号の少なくとも４つの位相の夫々とに応じ無関係のチャンネルに於いて生成される
事を特徴とする装置。
【請求項２】
前記第２のレシーバは、複数の並列中間周波数（ＩＦ）チャンネルを含み、複数の前記並列ＩＦチャンネルの夫々は、少なくとも４つの前記出力信号の１つを生成する様に構成される
請求項１に記載の装置。
【請求項３】
前記第１のレシーバと前記第２レシーバと前記第１の局部発振器整相回路と前記第２の局部発振器整相回路は、１つの集積回路に於いて製造される
請求項１又は２に記載の装置。
【請求項４】
前記集積回路は、マイクロ波モノリシック集積回路（ＭＭＩＣ）である
請求項３に記載の装置。
【請求項５】
前記集積回路は、更に、（ｉ）前記第１の局部発振器信号と前記第２の局部発振器信号の少なくとも１つを生成する様に構成された局部発振器増幅器及び乗算回路と（ｉｉ）前記第１のレシーバの入力にＲＦ入力パッドを結合する低雑音増幅器（ＬＮＡ）回路の１つ以上を含む
請求項３又は４に記載の装置。
【請求項６】
前記第１のレシーバは、前記ＲＦ入力信号を第１の中間周波数帯域にダウンコンバートし、前記第２のレシーバは、前記第１の中間周波数信号の夫々をベースバンドと前記第１の中間周波数帯域よりも低い第２の中間周波数帯域の少なくとも１つにダウンコンバートする
請求項１乃至５の何れか一項に記載の装置。
【請求項７】
前記無関係のチャンネルの夫々は、電力が印加された時に前記無関係のチャンネルの夫々のための抵抗ミキサとして構成され、電力が印加されない時に中間周波数信号経路の夫々のための静電気放電保護として構成された１つ以上のデバイスを含む
請求項１乃至６の何れか一項に記載の装置。
【請求項８】
前記無関係のチャンネルの夫々の１つ以上の前記デバイスは、高電子移動度トランジスタ（ＨＥＭＴ）と仮像型ＨＥＭＴ（ｐＨＥＭＴ）と電界効果トランジスタ（ＦＥＴ）とヘテロ接合ＦＥＴ（ＨＦＥＴ）と変調ドープＦＥＴ（ＭＯＤＦＥＴ）とバイポーラトランジスタの一種とダイオードの少なくとも１つを含み、
１つ以上のトランジスタは、更に、前記中間周波数信号線路の夫々に前記静電気放電保護が提供される様に構成される
請求項７に記載の装置。
【請求項９】
Ｅバンド信号をコンバートする方法に於いて、
第１の局部発振器信号の少なくとも４つの位相を生成する工程と、
第２の局部発振器信号の少なくとも４つの位相を生成する工程と、
第１のレシーバ回路を使用し高周波（ＲＦ）入力信号と前記第１の局部発振器信号の少なくとも４つの位相とに応じ少なくとも４つの第１の中間周波数信号を生成する工程と、
第２のレシーバ回路を使用し少なくとも４つの前記第１の中間周波数信号と前記第２の局部発振器信号の少なくとも４つの位相とに応じ少なくとも４つの出力信号を生成する工程と、
を含み、
少なくとも４つの前記出力信号の夫々は、少なくとも４つの前記第１の中間周波数信号の夫々と前記第２の局部発振器信号の少なくとも４つの位相の夫々とに応じ無関係のレシーバチャネルに於いて生成される
事を特徴とする方法。
【請求項１０】
前記第１の中間周波数信号の夫々は、複数の並列中間周波数（ＩＦ）チャンネルの夫々の入力に送信され、複数の前記並列ＩＦチャンネルの夫々は、少なくとも４つの前記出力信号の１つを生成する様に構成される
請求項９に記載の方法。
【請求項１１】
更に、
前記第１のレシーバ回路と前記第２のレシーバ回路を含む１つの集積回路に於いて前記第１の局部発振器信号と前記第２の局部発振器信号を生成する工程と、
前記第２の局部発振器信号の周波数の倍数と成る周波数を有する前記第１の局部発振器信号を生成する工程と、
低雑音増幅器（ＬＮＡ）回路を使用し前記ＲＦ入力信号を増幅する工程と、
（ｉ）前記第１のレシーバ回路と前記第２レシーバ回路とに電力が印加されない時に中間周波数信号経路の夫々に静電気放電保護を提供し、（ｉｉ）前記第１のレシーバ回路と前記第２レシーバ回路とに電力が印加された時に、複数の前記並列ＩＦチャンネルの夫々のための抵抗ミキサとして動作する無関係のレシーバチャネルの夫々のミキサを構成する工程と、
の１つ以上を含む
請求項９又は１０に記載の方法。
【請求項１２】
前記ＲＦ入力信号は、第１の中間周波数帯域にダウンコンバートされ、コンポーネント信号に分割され、
前記コンポーネント信号の夫々は、ベースバンドと前記第１の中間周波数帯域よりも低い第２の中間周波数帯域の少なくとも１つにダウンコンバートされる
請求項９乃至１１の何れか一項に記載の方法。
【請求項１３】
前記第１の中間周波数は、約１７ＧＨｚである
請求項９乃至１２の何れか一項に記載の方法。
【請求項１４】
前記第２の局部発振器信号の周波数は、約１乃至約３ＧＨｚに亘る
請求項１２又は１３に記載の方法。
【請求項１５】
前記第１のレシーバと前記第２のレシーバは、Ｅバンド短距離バックホール信号経路の一部である
請求項９乃至１４の何れか一項に記載の方法。
【発明の詳細な説明】
【技術分野】
【０００１】
本発明は、一般的に、ワイヤレス通信に係り、特に、Ｅバンド用途のための複数の無関係の中間周波数によるダブルダウンコンバージョンを実現するための方法及び／又は装置に関する。
【背景技術】
【０００２】
ボイス、ビデオ、及びデータの帯域幅消費型のワイヤレス通信のための高まる要求は、特に、人口密度の高い大都市圏に於いて、ポイントツーポイントとバックホールのラジオネットワーク、及び携帯電話基地局を緊張させている。この緊張を軽減するために、携帯電話会社は、ファイバキャリバデータレートに於けるワイヤレスネットワーク容量を拡大すべく、欧州電気通信標準化協会（ＥＴＳＩ）の「Ｅバンド」周波数スペクトルに転換している。ポイントツーポイント（ＰＴＰ）（「ワイヤレスバックホール」としても知られる）のためのＥバンド周波数スペクトルは、７１乃至７６ＧＨｚ及び８１乃至８６ＧＨｚの２つの５ＧＨｚ幅のブロックを含む。ＥＴＳＩのＥバンドの仕様は、レシーバ（「ダウンコンバータ」としても指称される）が「強い干渉」（即ち、３０ｄＢ以上の閾値）を（所望の信号と非常に近似しない）２つの５ＧＨｚ幅のブロックの全てに於いて取り扱う事が出来る事を規定する。
【０００３】
強い干渉の周波数がＥバンドレシーバのダウンコンバートミキサの局部発振器信号の周波数と所望の高周波（ＲＦ）信号との間に存在する時に（従って、ＩＦ／２に於いて）、強い干渉は、「ＩＦ／２」と称される線形性仕様を作成する。５ＧＨｚのブロックに亘り動作する様に設計されたヘテロダインレシーバのために、ＩＦ／２線形性仕様は、中間周波数（ＩＦ）が１０ＧＨｚ（即ち、２×５ＧＨｚ＝１０ＧＨｚ）以上に設定される事を示唆する。レシーバフィルタの有限帯域幅のために、ＩＦ値を１２ＧＨｚ以上に（最大限の選択肢たる１７ＧＨｚによって）設定すべく、ＩＦ値が実システムに於いて増加する。
【０００４】
ある種類の近年のレシーバは、再結合される０、９０、１８０、及び２７０度に対応する４つのＩＦ出力を有する。４つのＩＦ出力は、しばしば、Ｉ、Ｑ、Ｉ＿ｂａｒ、及びＱ＿ｂａｒと称される。低周波数システム（即ち、１８又は３８ＧＨｚのＥＴＳＩのポイントツーポイントラジオ）に於いては、４つのＩＦ出力が非常に低周波数（例えば、１乃至３ＧＨｚ）に存在し、ＩＦ出力の再結合が簡単である。ＩＦ＝１７ＧＨｚのＥバンドレシーバに於いては、ＩＦ出力の再結合が難しく費用が掛かる。
【発明の概要】
【発明が解決しようとする課題】
【０００５】
Ｅバンド用途のための複数の無関係の中間周波数によるダブルダウンコンバージョンを実現する事が望ましい。
【課題を解決するための手段】
【０００６】
本発明は、第１のレシーバと、第２のレシーバと、を含む装置に関係する態様を包含する。第１のレシーバは、高周波（ＲＦ）入力信号と第１の局部発振器信号とに応じ複数の第１の中間周波数信号を生成する様に構成される。第２のレシーバは、第１の中間周波数信号に応じ複数の出力信号を生成する様に構成される。出力信号の夫々は、第１の中間周波数信号の夫々と第２の局部発振器信号の夫々とに応じ無関係のチャンネルに於いて生成される。
【０００７】
以上に説明された装置の態様の幾つかの実施の形態に於いては、第２のレシーバは、複数の並列の中間周波数（ＩＦ）チャンネルを含み、ＩＦチャンネルの夫々は、出力信号の１つを生成する様に構成される。
【０００８】
以上に説明された装置の態様の幾つかの実施の形態に於いては、第１のレシーバと第２のレシーバは、１つの集積回路に加工される。１つの集積回路に加工された幾つかの実施の形態に於いては、集積回路は、マイクロ波モノリシック集積回路（ＭＭＩＣ）である。１つの集積回路に加工された幾つかの実施の形態に於いては、集積回路は、更に、局部発振器増幅器と、第１の局部発振器信号と第２の局部発振器信号の少なくとも１つを生成する様に構成された乗算回路と、を含む。１つの集積回路に加工された幾つかの実施の形態に於いては、集積回路は、更に、ＲＦ入力パッドを第１のレシーバの入力に結合する低雑音増幅器（ＬＮＡ）回路を含む。
【０００９】
以上に説明された装置の態様の幾つかの実施の形態に於いては、第１のレシーバは、ＲＦ入力信号を第１の中間周波数帯域にダウンコンバートし、第２のレシーバは、第１の中間周波数信号の夫々を（ｉ）ベースバンドと第１の中間周波数帯域よりも低い第２の中間周波数帯域の少なくとも１つにダウンコンバートする。
【００１０】
以上に説明された装置の態様の幾つかの実施の形態に於いては、無関係のチャンネルの夫々は、抵抗ミキサを含む。無関係のチャンネルの夫々が抵抗ミキサを含む幾つかの実施の形態に於いては、無関係のチャンネルの夫々の抵抗ミキサは、高電子移動度トランジスタ（ＨＥＭＴ）、仮像型ＨＥＭＴ（ｐＨＥＭＴ）、電界効果トランジスタ（ＦＥＴ）、ヘテロ接合ＦＥＴ（ＨＦＥＴ）、変調ドープＦＥＴ（ＭＯＤＦＥＴ）、バイポーラトランジスタの一種、及びダイオードの少なくとも１つを含む。無関係のチャンネルの夫々が抵抗ミキサを含む幾つかの実施の形態に於いては、無関係のチャンネルの夫々の抵抗ミキサは、更に、中間周波数信号ラインの夫々に静電気放電保護が提供される様に更に構成された１つ以上のトランジスタを含む。
【００１１】
本発明は、Ｅバンド信号をコンバートする方法に関係する態様を包含する。方法は、高周波（ＲＦ）第１のレシーバ回路を使用し入力信号と第１の局部発振器信号とに応じ複数の第１の中間周波数信号を生成し、第２のレシーバ回路を使用し第１の中間周波数信号に応じ複数の出力信号を生成する。出力信号の夫々は、第１の中間周波数信号の夫々と第２の局部発振器信号の夫々とに応じ無関係のレシーバチャンネルに於いて生成される。
【００１２】
以上に説明された方法の態様の幾つかの実施の形態に於いては、第１の中間周波数信号の夫々は、複数の並列の中間周波数（ＩＦ）チャンネルの夫々の入力に送信され、ＩＦチャンネルの夫々は、出力信号の１つを生成する様に構成される。
【００１３】
以上に説明された方法の態様の幾つかの実施の形態に於いては、方法は、第１の局部発振器信号と複数の第２の局部発振器信号とを生成する。
【００１４】
以上に説明された方法の態様の幾つかの実施の形態に於いては、方法は、更に、複数の第２の局部発振器信号の周波数の倍数と成る周波数を有する第１の局部発振器信号を生成する。
【００１５】
以上に説明された方法の態様の幾つかの実施の形態に於いては、方法は、低雑音増幅器（ＬＮＡ）回路を使用しＲＦ入力信号を増幅する。
【００１６】
以上に説明された方法の態様の幾つかの実施の形態に於いては、方法は、更に、第１のレシーバ回路と第２のレシーバ回路とに電力が印加されていない時に、中間周波数信号経路の夫々に提供された静電気放電保護に無関係のレシーバチャンネルの夫々のミキサを構成し、第１のレシーバ回路と第２のレシーバ回路とに電力が印加された時に、対応するＩＦチャンネルの夫々のための抵抗ミキサとして動作する。
【００１７】
以上に説明された方法の態様の幾つかの実施の形態に於いては、ＲＦ入力信号は、第１の中間周波数帯域にダウンコンバートされると共にコンポーネント信号に分割され、コンポーネント信号の夫々は、ベースバンドと第１の中間周波数帯域よりも低い第２の中間周波数帯域の少なくとも１つにダウンコンバートされる。
【００１８】
以上に説明された方法の態様の幾つかの実施の形態に於いては、第１の中間周波数は、約１７ＧＨｚである。
【００１９】
以上に説明された方法の態様の幾つかの実施の形態に於いては、第２の中間周波数は、約１乃至約３ＧＨｚに亘る。
【００２０】
以上に説明された方法の態様の幾つかの実施の形態に於いては、第１のレシーバと第２のレシーバは、Ｅバンド短距離バックホール信号経路の一部である。
【００２１】
本発明の目的、特徴、及び利点は、（ｉ）第１のレシーバステージに於いて複数の中間周波数信号を生成し、第２のレシーバステージの無関係のチャンネルの夫々に於いて複数の中間周波数信号の夫々をダウンコンバートし、（ｉｉ）従来の低周波数レシーバに入力される複数の中間周波数信号を生成し、（ｉｉｉ）Ｅバンド信号を複数のベースバンド信号にダウンコンバートし、（ｉｖ）第２のレシーバステージの無関係のチャンネルの夫々のために静電気放電（ＥＳＤ）保護を提供し、及び／又は（ｖ）１つのマイクロ波モノリシック集積回路（ＣＭＭＩＣ）に於いて実現される、Ｅバンド用途のための複数の無関係の中間周波数によるダブルダウンコンバージョンを実現するための方法及び／又は装置を提供する事を含む。
【００２２】
本発明のこれらと別の目的、特徴、及び利点は、以下の詳述と添付された特許請求の範囲及び図面とによって明白と成る。
【図面の簡単な説明】
【００２３】
【図１】図１は、本発明の実施の形態の一例に従うレシーバシステムを示す図である。
【図２】図２は、本発明の実施の形態に従うダブルダウンコンバージョンレシーバアーキテクチャを示す図である。
【図３】図３は、図２の第２のレシーバ回路のレシーバアーキテクチャを示す図である。
【図４】図４は、図２のダブルダウンコンバージョンレシーバの実施の形態の一例を示す概略図である。
【図５】図５は、本発明の実施の形態に従う処理の流れ図である。
【図６】図６は、本発明の実施の形態に従うダブルダウンコンバージョンレシーバが利用される通信システムを示す図である。
【発明を実施するための形態】
【００２４】
図１を参照すると、本発明の実施の形態の一例に従う回路１００を含むラジオレシーバシステムを示す図が示される。回路１００は、一般的に、本発明の実施の形態に従うダブルダウンコンバージョンレシーバ（ＤＤＣＲ）を実現する。回路１００は、高周波（ＲＦ）入力信号（例えば、ＲＦ＿ＩＮ）と複数の局部発振器（ＬＯ）信号（例えば、ＬＯ１及びＬＯ２）に応じ複数の出力信号（例えば、ＯＵＴ＿Ａ、ＯＵＴ＿Ｂ、ＯＵＴ＿Ｃ、及びＯＵＴ＿Ｄ）を生成する様に構成される。種々の実施の形態に於いては、ＲＦ入力信号ＲＦ＿ＩＮは、ＥＴＳＩのＥバンド周波数スペクトルのＲＦ信号を含み、出力信号ＯＵＴ＿Ａ、ＯＵＴ＿Ｂ、ＯＵＴ＿Ｃ、及びＯＵＴ＿Ｄは、中間周波数（ＩＦ）信号又はベースバンド（ＢＢ）信号を含む。示された実施の形態は、４つの出力信号を生成する回路１００を示すが、幾つかの実施の形態に於いては、回路１６０は、２つの出力信号（例えば、ＯＵＴ＿Ａ及びＯＵＴ＿Ｂ）だけを生成する様に構成される。
【００２５】
一例に於いては、回路１００は、ＲＦ入力信号ＲＦ＿ＩＮを受信する第１の入力と、第１の局部発振器信号（例えば、ＬＯ１）を受信する第２の入力と、第２の局部発振器信号（例えば、ＬＯ２）を受信する第３の入力と、２つ又は４つの出力信号ＯＵＴ＿Ａ、ＯＵＴ＿Ｂ、ＯＵＴ＿Ｃ、及びＯＵＴ＿Ｄを送信する複数の出力と、を有する。一例に於いては、ＲＦ入力信号ＲＦ＿ＩＮは、アンテナによって受信された信号（例えば、ＲＦ＿ＡＮＴ）から低雑音増幅器（ＬＮＡ）１０２によって提供される。ＬＮＡ１０２は、一般的に、フィルタ（例えば、バンドパスフィルタ、アンチイメージフィルタ等）回路（不図示）の夫々によってアンテナと回路１００とに結合される。
【００２６】
幾つかの実施の形態に於いては、局部発振器信号ＬＯ１及びＬＯ２は、局部発振増幅器及び乗算回路１０４によって提供される。一例に於いては、局部発振器信号ＬＯ１の周波数は、局部発振器信号ＬＯ２の周波数の倍数（例えば、２倍、４倍、８倍、１０倍等）と成る。局部発振器増幅器及び乗算回路１０４は、局部発振器シンセサイザ回路１０６の出力に応じ局部発振器信号ＬＯ１及びＬＯ２を生成する様に構成される。幾つかの実施の形態に於いては、局部発振器シンセサイザ回路１０６の出力は、第２の局部発振器信号ＬＯ２として使用される。一例に於いては、回路１０４と回路１０６は、従来の技術を使用し実現される。
【００２７】
図２を参照すると、更に、本発明の実施の形態の一例に従うダブルダウンコンバージョンレシーバアーキテクチャの一例を示す回路１００の図が示される。一例に於いては、回路１００は、回路１１０と、回路１１２と、を含む。回路１１０は、第１のレシーバステージを実現する。回路１１２は、第２のレシーバステージを実現する。回路１１０は、ＲＦ入力信号ＲＦ＿ＩＮと第１の局部発振器信号ＬＯ１とを受信し、複数の出力信号（例えば、Ｉ、Ｉ＿ｂａｒ、Ｑ、及びＱ＿ｂａｒ）を送信する。２つの出力だけが望まれる実施の形態に於いては、回路１１０は、信号Ｉ及びＱだけを送信する様に構成される。回路１１２は、信号Ｉ、Ｉ＿ｂａｒ、Ｑ、及びＱ＿ｂａｒを受信する複数の入力と、第２の局部発振器信号ＬＯ２を受信する入力と、出力信号ＯＵＴ＿Ａ、ＯＵＴ＿Ｂ、ＯＵＴ＿Ｃ、及びＯＵＴ＿Ｄを送信する複数の出力と、を有する。２つの出力だけが望まれる実施の形態に於いては、回路１１２は、信号Ｉ及びＱを受信し、出力信号ＯＵＴ＿Ａ及びＯＵＴ＿Ｂを送信する様に構成される。回路１１２は、更に、中間周波数信号線路に静電気放電保護を提供する様に構成される。
【００２８】
図３を参照すると、図２の第２のレシーバ回路１１２のためのアーキテクチャの一例を示す構成図が示される。種々の実施の形態に於いては、回路１１２は、複数の中間周波数チャンネル１２０ａ乃至１２０ｄと、局部発振器整相回路１２２と、を含む。中間周波数チャンネル１２０ａ乃至１２０ｄの夫々は、（ｉ）中間周波数信号Ｉ、Ｉ＿ｂａｒ、Ｑ、及びＱ＿ｂａｒの夫々を受信する第１の入力と、（ｉｉ）第２の局部発振器信号ＬＯ２の位相の夫々を受信する第２の入力と、（ｉｉｉ）出力信号ＯＵＴ＿Ａ、ＯＵＴ＿Ｂ、ＯＵＴ＿Ｃ、及びＯＵＴ＿Ｄの夫々が送信される出力と、を有する。種々の実施の形態に於いては、中間周波数チャンネル１２０ａ乃至１２０ｄの夫々は、信号Ｉ、Ｉ＿ｂａｒ、Ｑ、及びＱ＿ｂａｒの夫々と局部発振器信号ＬＯ２の位相の夫々に応じ信号ＯＵＴ＿Ａ、ＯＵＴ＿Ｂ、ＯＵＴ＿Ｃ、及びＯＵＴ＿Ｄの夫々を生成する様に構成された抵抗ミキサを含む。抵抗ミキサは、中間周波数信号線路に静電気放電（ＥＳＤ）保護を提供する様に実現される。
【００２９】
図４を参照すると、回路１００の実施の形態の一例を示す概略図が示される。種々の実施の形態に於いては、回路１００は、ブロック（又は回路）１３０と、ブロック（又は回路）１３２と、ブロック（又は回路）１３４と、複数のブロック１３６ａ乃至１３６ｄと、複数のブロック（又は回路）１３８ａ乃至１３８ｄと、複数のブロック（又は回路）１４０ａ乃至１４０ｄと、によって実現される。ブロック１３０は、ＲＦ分割及び整相回路を実現する。ブロック１３２は、第１の局部発振器信号ＬＯ１の複数の位相（例えば、０、９０、１８０、及び２７０）を生成する。ブロック１３４は、第２の局部発振器信号ＬＯ２の複数の位相（例えば、０、９０、１８０、及び２７０）を生成する。種々の実施の形態に於いては、ブロック１３２及び１３４は、専有された周波数帯域の信号に所定の量の位相シフトを提供する様に構成された複数の伝送線路（例えば、ストリップ線路、マイクロストリップ等）を組み合わせる事によって実現される。幾つかの実施の形態に於いては、ブロック１３２と、１３４は、限定されないものの、マイクロストリップのランゲカプラ、ハイブリッドカプラ、若しくはラットレースカプラ、又はストリップ線路回路のオーバレイカプラを含む位相シフト回路を使用し実現される。
【００３０】
ブロック１３６ａ乃至１３６ｄは、複数の第１のダウンコンバートミキサを実現する。種々の実施の形態に於いては、ブロック１３６ａ乃至１３６ｄは、第１の中間周波数（例えば、１７ＧＨｚ）に於いて動作する。高線形性用途に焦点を当てる実施の形態に於いては、ブロック１３６ａ乃至１３６ｄは、抵抗／コールドＦＥＴ型ミキサによって実現される。別の実施の形態に於いては、ブロック１３６ａ乃至１３６ｄは、基本波ミキサ又はアンチパラレルダイオードミキサとして実現される。然し乍ら、別のタイプのミキサは、特定の実施の形態の設計基準を満たす様に実現される。
【００３１】
ブロック１３８ａ乃至１３８ｄは、複数のＲＦフィルタを実現する。一例に於いては、ブロック１３８ａ乃至１３８ｄは、ＬＣバンドパスフィルタとして実現される。ブロック１３８ａ乃至１３８ｄは、一般的に、ＩＦポートからのＬＯ信号及びＲＦ信号の漏れを同時に遮断している間に中間周波数（ＩＦ）の伝送を許容する様に構成される。ブロック１３８ａ乃至１３８ｄは、ＲＦ、ＬＯ、及び別の非ＩＦ周波数に適合するインピーダンス負荷を提供する。
【００３２】
ブロック１４０ａ乃至１４０ｄは、複数の無関係の第２のダウンコンバートミキサチャンネルを実現する。種々の実施の形態に於いては、ブロック１４０ａ乃至１４０ｄの夫々は、第１の中間周波数（例えば、１７ＧＨｚ）から第２の中間周波数（例えば、１乃至３ＧＨｚ）に、又は第１の中間周波数（例えば、１７ＧＨｚ）からベースバンドにダウンコンバートする様に構成される。種々の実施の形態に於いては、ブロック１４０ａ乃至１４０ｄは、抵抗ダウンコンバートミキサとして構成された電界効果トランジスタ（ＦＥＴ）によって実現される。ブロック１４０ａ乃至１４０ｄの出力は、一般的に、集積回路のピン（又はパッド）に直接的に接続される。出力フィルタは、エンドユーザの特定の用途の特定の設計基準を満たすために、エンドユーザによって提供される。
【００３３】
一例に於いては、ブロック１４０ａ乃至１４０ｄの夫々は、ヘテロ接合ＦＥＴ（ＨＦＥＴ）又は変調ドープＦＥＴ（ＭＯＤＦＥＴ）としても知られた高電子移動度トランジスタ（ＨＥＭＴ）を使用し実現される。一例に於いては、仮像型ＨＥＭＴが使用される。然し乍ら、別のデバイスが実現される（例えば、全てのタイプのバイポーラトランジスタ（ＢＪＴ、ＨＢＴ等）、電界効果トランジスタ（ＦＥＴ）、及び／又はダイオード）。トランジスタは、あらゆる利用可能な技術（例えば、化合物半導体、シリコン等）を使用し製造される。ブロック１４０ａ乃至１４０ｄのトランジスタは、一般的に、システムの線形性仕様等の設計基準を満たし、中間周波数信号線路の夫々にＥＳＤ保護を提供する様な大きさにされる。種々の実施の形態に於いては、複数のブロック（又は回路）１４２ａ乃至１４２ｄが含まれる。ブロック１４２ａ乃至１４２ｄの夫々は、ブロック１４０ａ乃至１４０ｄの１つに対応する局部発振器入力ポートのためのバイアスティを実現する。
【００３４】
回路１００は、種々様々の集積回路構成に於いて実現される。第１の構成に於いては、集積回路パッド１５０は、ＲＦ入力信号ＲＦ＿ＩＮをブロック１３０の入力に直接的に接続し、集積回路パッド１５２は、局部発振器信号ＬＯ１をブロック１３２の入力に直接的に接続し、集積回路パッド１５４は、局部発振器信号ＬＯ２をブロック１３４の入力に直接的に接続し、ブロック１４０ａ乃至１４０ｄの出力は、集積回路パッド１５６ａ乃至１５６ｄの夫々に直接的に接続される。第２の構成に於いては、局部発振器増幅器及び乗算回路は、パッド１５２及び１５４の１つ又は両方をブロック１３２及び１３４の夫々に結合する。第３の構成に於いては、低雑音増幅器回路は、パッド１５０をブロック１３０の入力に結合し、局部発振器増幅器及び乗算回路は、パッド１５２及び１５４の１つ又は両方をブロック１３２及び１３４の夫々に結合する。
【００３５】
図５を参照すると、本発明の実施の形態の一例に従うダウンコンバージョン処理の一例を示す流れ図が示される。一例に於いては、処理又は方法２００は、工程２０２と、工程２０４と、工程２０６と、を含む。工程２０２に於いては、処理２００は、ＲＦ信号（例えば、Ｅバンド短距離バックホール信号）を受信する。工程２０４に於いては、処理２００は、複数の信号（例えば、Ｉ及びＱ、又はＩ、Ｉ＿ｂａｒ、Ｑ、及びＱ＿ｂａｒのどちらか）を取得するために第１の中間周波数（例えば、ＬＯ１）を使用し第１のダウンコンバージョンを実行する。工程２０６に於いては、処理２００は、工程２０４に於いて生成された信号の夫々に第２のダウンコンバージョンを実行する。工程２０６に於いては、無関係の中間周波数チャンネルと第２の局部発振器信号の夫々とを使用しダウンコンバージョン信号の夫々が並列に生成される。
【００３６】
図６を参照すると、本発明の種々の実施の形態に従うダブルダウンコンバージョンレシーバが利用される通信システム３００を示す図が示される。種々の実施の形態に於いては、複数のポイントツーポイント（ＰＴＰ）ワイヤレスブリッジバックホールチャンネルが複数の基地局３０２ａ乃至３０２ｄをリンクさせるために使用される。複数のポイントツーポイント（ＰＴＰ）ワイヤレスブリッジバックホールチャンネルの夫々は、本発明の種々の実施の形態に従うダブルダウンコンバージョンレシーバを使用し実現される。
【００３７】
種々の実施の形態に於いては、新規のレシーバアーキテクチャは、ＩＦ出力を１つのチャンネルの第２のレシーバ（ダウンコンバータ）に通す前に、第１のレシーバ（ダウンコンバータ）からの複数のＩＦ出力（例えば、０、９０、１８０、及び２７０度に対応し、しばしばＩ、Ｑ、Ｉ＿ｂａｒ、及びＱ＿ｂａｒと称される）を組み合わせずに提供される。代わりに、新規のラジオアーキテクチャは、並列チャンネルを含む第２のレシーバステージを含み、並列チャンネルの夫々は、第１のレシーバから受信されたＩＦ出力の夫々をベースバンド又は非常に低いＩＦにダウンコンバートする。幾つかの実施の形態に於いては、低いＩＦは、既存の有り触れたＥＴＳＩのポイントツーポイントラジオ（例えば、１８又は３８ＧＨｚ）に於いて使用される１乃至３ＧＨｚである。幾つかの実施の形態に於いては、低いＩＦは、ゼロ周波数（例えば、ダイレクトコンバージョン用途）又はそれに近い。複数の並列ＩＦチャンネルを有する第２のレシーバ（ダウンコンバータ）は、種々様々の技術（例えば、ガリウム砒素（ＧａＡｓ）、シリコンゲルマニウム（ＳｉＧｅ）等）によって実現される。使用される特定の技術は、特定のシステムの全ての線形性及び雑音仕様に応じ選択される。一例に於いては、レシーバは、ＧａＡｓによって製造され、１つのマイクロ波モノリシック集積回路（ＭＭＩＣ）に組み合わされた第１のレシーバ（ダウンコンバータ）と第２のレシーバ（ダウンコンバータ）とを有する。種々の実施の形態に於いては、第２のレシーバ（ダウンコンバータ）は、第２のレシーバのダウンコンバートミキサとしても振る舞うためにＩＦ線路を保護する静電放電（ＥＳＤ）保護電界効果トランジスタ（ＦＥＴ）を再使用する様に構成され、結果的に、相当な回路領域を節約すると共に費用を削減する。
【００３８】
本発明は、特に、好ましい実施の形態に関し示され説明されたが、本発明の範囲から逸れずに形状及び細部の多種多様の変更を為し得る事が当業者によって理解される。
【図１】
2018504828.tif 000003
【図２】
2018504828.tif 000004
【図３】
2018504828.tif 000005
【図４】
2018504828.tif 000006
【図５】
2018504828.tif 000007
【図６】
2018504828.tif 000008
【手続補正書】
【提出日】平成28年9月30日(2016.9.30)
【手続補正１】
【補正対象書類名】特許請求の範囲
【補正対象項目名】全文
【補正方法】変更
【補正の内容】
【特許請求の範囲】
【請求項１】
高周波（ＲＦ）入力信号と第１の局部発振器信号の位相の夫々とに応じ少なくとも４つの第１の中間周波数信号を生成する様に構成された第１のレシーバ周波数コンバージョンステージと、
少なくとも４つの前記第１の中間周波数信号と第２の局部発振器信号の１つ以上の位相とに応じ少なくとも４つの出力信号を生成する様に構成された第２のレシーバ周波数コンバージョンステージと、
を含み、
少なくとも４つの前記出力信号の夫々は、少なくとも４つの前記第１の中間周波数信号の夫々と前記第２の局部発振器信号の１つ以上の位相の夫々とに応じ無関係のチャンネルに於いて生成される
事を特徴とする装置。
【請求項２】
前記第２のレシーバ周波数コンバージョンステージは、複数の並列中間周波数（ＩＦ）チャンネルを含み、複数の前記並列ＩＦチャンネルの夫々は、少なくとも４つの前記出力信号の１つを生成する様に構成される
請求項１に記載の装置。
【請求項３】
前記第１のレシーバ周波数コンバージョンステージと前記第２レシーバ周波数コンバージョンステージは、１つの集積回路に於いて製造される
請求項１又は２に記載の装置。
【請求項４】
前記集積回路は、マイクロ波モノリシック集積回路（ＭＭＩＣ）である
請求項３に記載の装置。
【請求項５】
前記集積回路は、更に、（ｉ）前記第１の局部発振器信号と前記第２の局部発振器信号の少なくとも１つを生成する様に構成された局部発振器回路と（ｉｉ）前記第１のレシーバ周波数コンバージョンステージの入力にＲＦ入力パッドを結合する低雑音増幅器（ＬＮＡ）回路の１つ以上を含む
請求項３又は４に記載の装置。
【請求項６】
前記第１のレシーバ周波数コンバージョンステージは、前記ＲＦ入力信号を第１の中間周波数帯域にダウンコンバートし、前記第２のレシーバ周波数コンバージョンステージは、少なくとも４つの前記第１の中間周波数信号の夫々をベースバンドと前記第１の中間周波数帯域よりも低い第２の中間周波数帯域の少なくとも１つにダウンコンバートする
請求項１乃至５の何れか一項に記載の装置。
【請求項７】
前記無関係のチャンネルの夫々は、電力が印加された時に前記無関係のチャンネルの夫々のための周波数コンバージョンミキサとして構成され、電力が印加されない時に中間周波数信号経路の夫々のための静電気放電保護として構成された１つ以上のデバイスを含む
請求項１乃至６の何れか一項に記載の装置。
【請求項８】
前記無関係のチャンネルの夫々の１つ以上の前記デバイスは、高電子移動度トランジスタ（ＨＥＭＴ）と仮像型ＨＥＭＴ（ｐＨＥＭＴ）と電界効果トランジスタ（ＦＥＴ）とヘテロ接合ＦＥＴ（ＨＦＥＴ）と変調ドープＦＥＴ（ＭＯＤＦＥＴ）とバイポーラトランジスタの一種とダイオードの少なくとも１つを含み、
１つ以上のトランジスタは、更に、前記中間周波数信号線路の夫々に前記静電気放電保護が提供される様に構成される
請求項７に記載の装置。
【請求項９】
マイクロ波信号とミリ波信号とをコンバートする方法に於いて、
第１のレシーバ周波数コンバージョン回路を使用し高周波（ＲＦ）入力信号と第１の局部発振器信号の少なくとも４つの位相とに応じ少なくとも４つの第１の中間周波数信号を生成する工程と、
第２のレシーバ周波数コンバージョン回路を使用し少なくとも４つの前記第１の中間周波数信号と第２の局部発振器信号の１つ以上の位相とに応じ少なくとも４つの出力信号を生成する工程と、
を含み、
少なくとも４つの前記出力信号の夫々は、少なくとも４つの前記第１の中間周波数信号の夫々と前記第２の局部発振器信号の１つ以上の位相の夫々とに応じ無関係の周波数コンバージョンチャネルに於いて生成される
事を特徴とする方法。
【請求項１０】
前記第１の中間周波数信号の夫々は、複数の並列中間周波数（ＩＦ）チャンネルの夫々の入力に送信され、複数の前記並列ＩＦチャンネルの夫々は、少なくとも４つの前記出力信号の１つを生成する様に構成される
請求項９に記載の方法。
【請求項１１】
更に、
前記第１のレシーバ周波数コンバージョン回路と前記第２のレシーバ周波数コンバージョン回路とを含む１つの集積回路に於いて前記第１の局部発振器信号の少なくとも４つの位相と前記第２の局部発振器信号の１つ以上の位相とを生成する工程と、
前記第２の局部発振器信号の周波数の倍数と成る周波数を有する前記第１の局部発振器信号を生成する工程と、
低雑音増幅器（ＬＮＡ）回路を使用し前記ＲＦ入力信号を増幅する工程と、
前記無関係の周波数コンバージョンチャネルの夫々のための周波数コンバージョンミキサを構成する工程であって、（ｉ）電力が印加されない時に前記第１のレシーバ周波数コンバージョン回路の中間周波数信号経路と前記第２レシーバ周波数コンバージョン回路の中間周波数信号経路の夫々に静電気放電保護を提供し、（ｉｉ）電力が印加された時に複数の並列ＩＦチャンネルの夫々のための前記周波数コンバージョンミキサとして動作する工程と、
の１つ以上を含む
請求項９又は１０に記載の方法。
【請求項１２】
前記ＲＦ入力信号は、第１の中間周波数帯域にダウンコンバートされ、コンポーネント信号に分割され、
前記コンポーネント信号の夫々は、ベースバンドと前記第１の中間周波数帯域よりも低い第２の中間周波数帯域の少なくとも１つにダウンコンバートされる
請求項９乃至１１の何れか一項に記載の方法。
【請求項１３】
前記第１の中間周波数信号の夫々の周波数と前記第２の局部発振器信号の夫々の周波数は、マイクロ波周波数である
請求項９乃至１２の何れか一項に記載の方法。
【請求項１４】
前記第１の中間周波数信号の夫々の周波数は、約１７ＧＨｚであり、
前記第２の局部発振器信号の夫々の周波数は、約１乃至約３ＧＨｚに亘る
請求項１２又は１３に記載の方法。
【請求項１５】
前記第１のレシーバ周波数コンバージョン回路と前記第２のレシーバ周波数コンバージョン回路は、マイクロ波周波数帯域、ミリ波周波数帯域、及びＥバンド周波数帯域の少なくとも１つに於いて動作可能なレシーバの一部である
請求項９乃至１４の何れか一項に記載の方法。
【国際調査報告】
2018504828.tif 000009
2018504828.tif 000010